(57)【要約】【課題】本発明は、任意の場所に移動して使用する、通常のホワイトボードと、室内を仕切るパーテーションを兼ねるホワイトボードとを容易に構築可能なホワイトボードに関するものである。【解決手段】本発明は、ホワイトボードにおいて、両面に筆記が可能な筆記ボードと、この筆記ボードの左右の端部を保持するフレーム構造体と、このフレーム構造体の左右内側面に設けられた一対のスリットと、この一対のスリットに、着脱可能に組み込まれる仕切りボードとを有することを特徴としている。【選択図】    図１
2017001221.tif 000002
【特許請求の範囲】
【請求項１】
両面に筆記が可能な筆記ボードと、この筆記ボードの左右の端部を保持するフレーム構造体と、このフレーム構造体の左右内側面に設けられた一対のスリットと、この一対のスリットに、着脱可能に組み込まれる仕切りボードとを有することを特徴とするホワイトボード。
【請求項２】
前記仕切りボードは、色別或は模様別に複数有することを特徴とする請求項１項記載のホワイトボード。
【発明の詳細な説明】
【技術分野】
【０００１】
本発明は、室内を仕切るパーテーションとしても利用可能なホワイトボードに関するものである。
【背景技術】
【０００２】
ホワイトボードは、白色の筆記ボードに、マーカーで文字や図形を記入するものであり、略Ｈ形状のフレームに、表面が白色に塗装された筆記ボードの左右の側面を回転可能に固定したものである。
このホワイトボードは、フレームの底面にキャスター（車輪）が設けられており、所望の場所に移動して用いることができる。
【０００３】
また、室内を分割して使用するためのパーテーションボードの表面に、白色塗層を行い、ホワイトボードとしても使用できるものが知られている。この場合は、パーテーションを設置する位置が固定され、簡単には移動できない構造となっている。
【先行技術文献】
【特許文献】
【０００４】
【特許文献１】特開２０１２−１４３９１４号
【特許文献２】特開２０１０−１１５８３９号
【発明の開示】
【発明が解決しようとする課題】
【０００５】
上記特許文献１には、筆記ボードの両面に筆記可能なホワイトボードの構造が示されている。
また、特許文献２には筆記用ボードとして使用可能なウォールシステムが示されている。
【０００６】
上記の特許文献１は、片手でも容易に筆記面を変更できる、ホワイトボードの筆記ボード固定のための構造が示されている。
上記の特許文献２は、筆記面を隠せるように、筆記ボードを折りたたみ可能に保持する構造が示されている。
これらは、ホワイトボードの筆記面についての技術に関するものである。
これに対して、本発明は、ホワイトボードをより容易にパーテーションボードとして利用可能にするものである。
【課題を解決するための手段】
【０００７】
上記課題を解決するため本発明は、請求項１に記載するとおり、両面に筆記が可能な筆記ボードと、この筆記ボードの左右の端部を保持するフレーム構造体と、このフレーム構造体の左右内側面に設けられた一対のスリットと、この一対のスリットに、着脱可能に組み込まれる仕切りボードとを有することを特徴としている。
【０００８】
また、請求項２に記載するとおり、前記仕切りボードは、色別或は模様別に複数有することを特徴としている。
【発明の効果】
【０００９】
本発明によれば、上述のように着脱可能な仕切りボードを用いることによって、異なる色や模様の仕切りボードを、いつでも利用可能となるため、ホワイトボードのパーテーションとしての表面のデザイン変更が可能となり、ホワイトボードの利便性が向上する。
【発明を実施するための形態】
【００１０】
以下、本発明を実施するための最良の形態について、図面を参照して詳細に説明する。
【実施例】
【００１１】
以下、図に沿って本発明の一実施例を説明する。
図１は本発明の一実施例のホワイトボード１を示す斜視図である。
１はホワイトボード全体を表し、２はこのホワイトボード１の筆記面となる筆記ボード、３は略Ｈ形状のフレーム構造体であり、左右のフレームの底面には、車輪が左右対称に４つ設けられている。
４はフレーム構造体３の左右のフレームの内側面に設けられた一対のスリットであり、斜視図の関係上、一方のスリットは図示されているが、他方のスリットはフレームに隠れている。
５はフレーム構造体３の左右のフレームを連結固定する連結体、６はフレーム構造体４に筆記ボード２を固定するボード側面固定部、７は連結体５に、着脱可能に配置されるトレイである。
【００１２】
図２に前述のスリット４に柔軟性を有する仕切りボード８を組み込んだ状態の斜視図を示す。尚、トレイ７は取り外している。
筆記ボード２の両表面は鉄製の材料で構成されているため、筆記ボード２上に、例えばマグネットシートやボタン状磁石などの磁石材を貼り付けることが可能となっている。
また、トレイ７の後面には、図示しないマグネットが設けられており、このマグネットによって、連結体５、或は筆記ボード２にトレイ７を着脱することができる。
【００１３】
また、仕切りボード８は2ミリメートル乃至５ミリメートルの樹脂製の平板であり、撓ませることにより、スリット４に容易に収納し、或は取り外すことができる。
この仕切りボード８は、複数の異なる色のもや、複数の異なる模様のものが設けられており、いつでも容易に、好みの色、或は模様のものに変更できる。
【００１４】
尚、複数の仕切りボード８をスリット４内に収納しておき、この収納順序を変えて、最前面及び最後面に配置する仕切りボード８によって、色、或は模様を変更するようにしてもよい。
【００１５】
本実施例においては、筆記ボード２は、フレーム構造体３に４点で、ボード側面固定部６によって、固定されている。
これは、ホワイトボード１を、室内を仕切るパーテーションとして用いる場合、仕切られた一方の側で、筆記ボード２の両面を使うことはないからである。
しかしながら、任意の場所に移動して通常のホワイトボードとして利用することを重視した場合は、図３に示すように、筆記ボード２を２点で、回転可能に保持して、一方の側で筆記ボード２の両面に筆記可能としてもよい。
【００１６】
この第２の実施例では、筆記ボード２の固定は、連結体６上面中央に設けられたボード底面固定部９によって行われる。
この固定部９は、固定用のスリットが設けられたヘッドが、上下に移動するものであり、ヘッド上部の傾斜部を、筆記ボード２の下端部が押し下げて、筆記ボード２が垂直になった状態で、、ヘッドが上昇して、この筆記ボード２の下部が、ヘッドのスリットに収まり固定される。
筆記面を変更する場合は、このヘッド部を利用者が押し下げて、ヘッドのスリットが、筆記ボード２の下部から抜けた状態にして、筆記ボード２を回転させて行う。
【００１７】
本発明は、上記の実施例に限定されるものではなく、フレーム構造体３の形状やボード側面固定部やボード底面固定部の構造は種々変形が可能である。
例えば、フレーム構造体３の左右のフレームの上部内側面に設けたスリットに筆記ボード２の左右端部を収納して固定するような構造でもよい。また、トレイ７は、連結部５にねじ等で直接固定してもよい。
【産業上の利用可能性】
【００１８】
本発明は、任意の場所に移動して使用可能なホワイトボードとして使用ができ、かつ、部屋を仕切るパーテーションボードとして使用することが可能なホワイトボードに関するものである。
更に、好みに合わせて、容易にパーテーションボードとしての表面デザインを変更することが可能であるため、ホワイトボードの利便性を向上させることが可能なものである。
【図面の簡単な説明】
【００１９】
【図１】図１は、本発明の実施例の形態に係る、仕切りボードを外した状態の斜視図である。
【図２】図２は、本発明の実施例の形態に係る、仕切りボードを組み込んだ状態の斜視図である。
【図３】図３は、本発明の第２の実施例の形態に係るである斜視図である。
【符号の説明】
【００２０】
２：筆記ボード
３：フレーム構造体
４：スリット
８：仕切りボード 
【図１】
2017001221.tif 000003
【図２】
2017001221.tif 000004
【図３】
2017001221.tif 000005